(57)【要約】  無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置は、通信データおよび制御データを含んだ中継情報をＣＰＲＩリンク経由で監視することによって接続が切れたＣＰＲＩリンクを検知する。中継装置は、リンク断が検知されたＣＰＲＩリンクの接続位置に応じて各ＣＰＲＩリンクに対して、強制的にＣＰＲＩリンクを切断する強制リンク断や通信データの送信を止める停波といった制御内容の振り分けを行い、各ＣＰＲＩリンクに対して、それぞれ監視および制御を行う。
2010044142.tif 000002
【特許請求の範囲】
【請求項１】
無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置であって、
通信データおよび前記ＣＰＲＩリンクの接続状態情報を含む制御データを含んだ中継情報をＣＰＲＩリンク経由で監視することによって接続が切れたＣＰＲＩリンクを検知するリンク断検知部と、
前記リンク断検知部によってリンク断が検知されたＣＰＲＩリンクの接続位置に応じて各ＣＰＲＩリンクに対する制御内容を振り分ける振分部と
を備えたことを特徴とする中継装置。
【請求項２】
前記振分部は、前記検知されたＣＰＲＩリンクを強制的に接続が切れた状態とする強制リンク断部
をさらに備え、
前記リンク断検知部は、下りリンク側の中継装置に接続されたＣＰＲＩリンクの上り方向のリンク断を検知した場合に、前記下りリンク側の中継装置を共有する前記複数の中継装置にそれぞれ接続されたＣＰＲＩリンクを前記強制リンク断部へ通知し、
前記強制リンク断部は、前記通知されたＣＰＲＩリンクの上り方向のリンクを強制的に接続が切れた状態とする
ことを特徴とする請求項１に記載の中継装置。
【請求項３】
前記振分部は、前記検知されたＣＰＲＩリンクを経由する前記中継情報のうち、前記制御データのみを送信する停波部
をさらに備え、
前記リンク断検知部は、下りリンク側の中継装置に接続されたＣＰＲＩリンクの下り方向のリンク断を検知した場合に、前記下りリンク側の中継装置を共有する前記複数の中継装置にそれぞれ接続されたＣＰＲＩリンクを前記停波部へ通知し、
前記停波部は、前記通知されたＣＰＲＩリンクに接続された中継装置に前記制御データのみを送信する
ことを特徴とする請求項１に記載の中継装置。
【請求項４】
前記振分部は、前記検知されたＣＰＲＩリンクを経由する前記中継情報のうち、前記制御データのみを送信する停波部
をさらに備え、
前記リンク断検知部は、上りリンク側の中継装置に接続されたＣＰＲＩリンクの下り方向のリンク断を検知した場合に、リンク断と検知されたＣＰＲＩリンクを第一のＣＰＲＩリンクとして前記停波部へ通知するとともに、下りリンク側の中継装置に接続されたＣＰＲＩリンクを第二のＣＰＲIリンクとして前記停波部へ通知し、
前記停波部は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲIリンクに接続された中継装置に前記制御データのみを送信する
ことを特徴とする請求項１に記載の中継装置。
【請求項５】
前記振分部は、前記検知されたＣＰＲＩリンクを経由する前記中継情報のうち、前記制御データのみを送信する停波部
をさらに備え、
前記リンク断検知部は、上りリンク側の中継装置に接続されたＣＰＲＩリンクの上り方向のリンク断を検知した場合に、下りリンク側の中継装置に接続されたＣＰＲＩリンクを前記停波部へ通知し、
前記停波部は、リンク断と検知されたＣＰＲＩリンクに接続された中継装置からの中継情報として、通知されたＣＰＲＩリンクに接続された中継装置に前記制御データのみを送信する
ことを特徴とする請求項１に記載の中継装置。
【請求項６】
無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置に適用される中継方法であって、
通信データおよび前記ＣＰＲＩリンクの接続状態情報を含む制御データを含んだ中継情報をＣＰＲＩリンク経由で監視することによって接続が切れたＣＰＲＩリンクを検知するリンク断検知工程と、
前記リンク断検知工程によってリンク断が検知されたＣＰＲＩリンクの接続位置に応じて各ＣＰＲＩリンクに対する制御内容を振り分ける振分工程と
を含んだことを特徴とする中継方法。
【請求項７】
前記振分工程は、前記検知されたＣＰＲＩリンクを強制的に接続が切れた状態とする強制リンク断工程
をさらに含み、
前記リンク断検知工程は、下りリンク側の中継装置に接続されたＣＰＲＩリンクの上り方向のリンク断を検知した場合に、前記下りリンク側の中継装置を共有する前記複数の中継装置にそれぞれ接続されたＣＰＲＩリンクを前記強制リンク断工程へ通知し、
前記強制リンク断工程は、前記通知されたＣＰＲＩリンクの上り方向のリンクを強制的に接続が切れた状態とする
ことを特徴とする請求項６に記載の中継方法。
【請求項８】
前記振分工程は、前記検知されたＣＰＲＩリンクを経由する前記中継情報のうち、前記制御データのみを送信する停波工程
をさらに含み、
前記リンク断検知工程は、下りリンク側の中継装置に接続されたＣＰＲＩリンクの下り方向のリンク断を検知した場合に、前記下りリンク側の中継装置を共有する前記複数の中継装置にそれぞれ接続されたＣＰＲＩリンクを前記停波工程へ通知し、
前記停波工程は、前記通知されたＣＰＲＩリンクに接続された中継装置に前記制御データのみを送信する
ことを特徴とする請求項６に記載の中継方法。
【請求項９】
前記振分工程は、前記検知されたＣＰＲＩリンクを経由する前記中継情報のうち、前記制御データのみを送信する停波工程
をさらに備え、
前記リンク断検知工程は、上りリンク側の中継装置に接続されたＣＰＲＩリンクの下り方向のリンク断を検知した場合に、リンク断と検知されたＣＰＲＩリンクを第一のＣＰＲＩリンクとして前記停波工程へ通知するとともに、下りリンク側の中継装置に接続されたＣＰＲＩリンクを第二のＣＰＲIリンクとして前記停波工程へ通知し、
前記停波工程は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲIリンクに接続された中継装置に前記制御データのみを送信する
ことを特徴とする請求項６に記載の中継方法。
【請求項１０】
前記振分工程は、前記検知されたＣＰＲＩリンクを経由する前記中継情報のうち、前記制御データのみを送信する停波工程
をさらに含み、
前記リンク断検知工程は、上りリンク側の中継装置に接続されたＣＰＲＩリンクの上り方向のリンク断を検知した場合に、下りリンク側の中継装置に接続されたＣＰＲＩリンクを前記停波工程へ通知し、
前記停波工程は、リンク断と検知されたＣＰＲＩリンクに接続された中継装置からの中継情報として、通知されたＣＰＲＩリンクに接続された中継装置に前記制御データのみを送信する
ことを特徴とする請求項６に記載の中継方法。
【請求項１１】
無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置に搭載される中継プログラムであって、
通信データおよび前記ＣＰＲＩリンクの接続状態情報を含む制御データを含んだ中継情報をＣＰＲＩリンク経由で監視することによって接続が切れたＣＰＲＩリンクを検知するリンク断検知手順と、
前記リンク断検知手順によってリンク断が検知されたＣＰＲＩリンクの接続位置に応じて各ＣＰＲＩリンクに対する制御内容を振り分ける振分手順と
をコンピュータに実行させることを特徴とする中継プログラム。
【発明の詳細な説明】
【技術分野】
【０００１】
本発明は、無線基地局の中継装置に関する。また、ＣＰＲＩ（Common  Public  Radio  Interface）規格のインタフェースに準拠したＣＰＲＩリンクと呼ばれる、光ファイバにより複数の中継装置と接続し、ＣＰＲＩリンクの確立状態の監視および制御を行う中継装置、中継方法および中継プログラムに関する。
【背景技術】
【０００２】
従来、無線基地局では、複数のＲＥＣ装置（Radio  Equipment  Control装置）を網状に接続することで、内部ネットワークを形成している。ここで、ＲＥＣ装置（以下、「中継装置」と称する）とは、上記した内部ネットワークの通信制御および通信データの中継処理を行う装置である。【０００３】
中継装置は、無線基地局の内部インタフェース規格であるＣＰＲＩ規格のインタフェースに準拠したＣＰＲＩリンクと呼ばれる光ファイバによって他の中継装置と接続されている。そして、各中継装置は、中継装置間の送受信が正常な状態であるか否か、すなわち、ＣＰＲＩリンクが確立しているか否かを常に監視しており、監視結果に基づき各ＣＰＲＩリンクの切断／回復等の制御を行っている。【０００４】
【特許文献１】特開昭５５−１５３０４５号公報
【特許文献２】特開昭６２−２４５８２７号公報
【発明の開示】
【発明が解決しようとする課題】
【０００５】
しかしながら、従来の中継装置では、自装置に接続されているいずれかのＣＰＲＩリンクで接続が切れた場合、他の正常な（ＣＰＲＩリンクが確立している）ＣＰＲＩリンクまでも切断しているとみなしてしまう場合があった。【０００６】
このため、従来の中継装置を用いた場合には、正常なＣＰＲＩリンクが残存しているにもかかわらず、通信データを中継することができない場合があるという問題点があった。【０００７】
たとえば、従来の中継装置（以下、「装置Ａ」と称する）の上位装置側（上位側）に２台の中継装置（以下、「装置Ｂ１」、「装置Ｂ２」と称する）が並列に接続され、下位装置側（下位側）に１台の中継装置（以下、「装置Ｃ」と称する）が接続された場合について説明する。この場合、上位側の装置Ｂ１および装置Ｂ２は、装置Ａを介して装置Ｃを共有している。例えば、上位装置は無線基地局制御装置、下位装置は移動局装置である。【０００８】
上記した装置構成で、装置Ａと装置Ｂ１との間の上位側から下位側（以下、「下り」と称する）のＣＰＲＩリンクで接続が切れた場合、装置Ａは、装置Ｂ１からの下りのＣＰＲＩリンクで接続が切れたことを検知する。【０００９】
つづいて、装置Ａは、装置Ａから装置Ｃへの下りのＣＰＲＩリンク（正常なリンク）についても接続を切断しているとみなす処理を行っていた。このため、装置Ｂ２は、本来は通信可能な装置Ｃと通信を行うことができなかった。【００１０】
これらのことから、自装置に接続されたＣＰＲＩリンクが異常となった場合に、正常なＣＰＲＩリンクを用いてデータの中継処理を継続することができる中継装置をいかにして実現するかが大きな課題となっている。【００１１】
開示の技術は、上記した従来技術による問題点を解消するためになされたものであり、自装置に接続されたＣＰＲＩリンクが異常となった場合に、正常なＣＰＲＩリンクを用いてデータの中継処理を継続することができる中継装置、中継方法および中継プログラムを提供することを目的とする。
【課題を解決するための手段】
【００１２】
本願に開示する中継装置は、通信データおよび制御データを含んだ中継情報をＣＰＲＩリンク経由で監視することによって接続が切れたＣＰＲＩリンクを検知するリンク断検知部と、リンク断検知部によってリンク断が検知されたＣＰＲＩリンクがどのＣＰＲＩリンクであるかに応じて各ＣＰＲＩリンクに対する制御内容を振り分ける振分部とを備える。【００１３】
なお、本願に開示する中継装置の構成要素、表現または構成要素の任意の組合せを、方法、システム、コンピュータプログラム、記録媒体、データ構造などに適用したものも、他の態様として有効である。
【発明の効果】
【００１４】
本願に開示した中継装置によれば、接続が切れたＣＰＲＩリンクがどのＣＰＲＩリンクであるかに応じて、各ＣＰＲＩリンクに対する制御内容を変えることにより、効果的に中継情報の送受信が可能なように制御を行う。【００１５】
したがって、リンクで接続が切れた状態であるとみなすＣＰＲＩリンクを最小限にすることにより、リンクが確立しているＣＰＲＩリンクにより、中継情報の中継処理を継続することができるという効果を奏する。
【図面の簡単な説明】
【００１６】
【図１】図１は、本実施例に係る中継装置の概要を説明するための図である。
【図２】図２は、本実施例における中継装置の構成を示すブロック図である。
【図３】図３は、本実施例における無線基地局内の装置構成を説明するための図である。
【図４】図４は、中継装置の監視方法および制御方法を説明するための図その１である。
【図５】図５は、中継装置の監視方法および制御方法を説明するための図その２である。
【図６】図６は、中継装置の監視方法および制御方法を説明するための図その３である。
【図７】図７は、中継装置の監視方法および制御方法を説明するための図その４である。
【図８】図８は、本実施例における中継装置によるリンク断検知時の処理手順を示すシーケンス図その１である。
【図９】図９は、本実施例における中継装置による復旧時の処理手順を示すシーケンス図その１である。
【図１０】図１０は、本実施例における中継装置によるリンク断検知時の処理手順を示すシーケンス図その２である。
【図１１】図１１は、本実施例における中継装置による復旧時の処理手順を示すシーケンス図その２である。
【図１２】図１２は、本実施例における中継装置によるリンク断検知時の処理手順を示すシーケンス図その３である。
【図１３】図１３は、本実施例における中継装置による復旧時の処理手順を示すシーケンス図その３である。
【図１４】図１４は、本実施例における中継装置によるリンク断検知時の処理手順を示すシーケンス図その４である。
【図１５】図１５は、本実施例における中継装置による復旧時の処理手順を示すシーケンス図その４である。
【符号の説明】
【００１７】
１    中継装置
１０  上位側終端部
１１  上位側送受信部
１２  上位側リンク断検知部
１３  上位側振分部
１４  強制リンク断処理部
１５  上位側停波処理部
１６  上位側リンク断情報処理部
１７  上位側状態メモリ
２０  下位側終端部
２１  下位側送受信部
２２  下位側リンク断検知部
２３  下位側振分部
２４  下位側停波処理部
２５  下位側リンク断情報処理部
２６  下位側状態メモリ
３０  多重分離部
【発明を実施するための最良の形態】
【００１８】
以下に、本願に開示する中継装置、中継方法および中継プログラムの実施例を図面に基づいて詳細に説明する。なお、この実施例により本願に開示する中継装置、中継方法および中継プログラムが限定されるものではない。【００１９】
以下では、まず、本実施例に係る中継装置、中継方法および中継プログラムの概要を説明し、続いて、中継装置の構成、無線基地局内の装置構成、中継装置による処理手順、本実施例の効果を順に説明する。
【実施例】
【００２０】
［本実施例に係る中継装置の概要］
まず、図１を用いて、本実施例に係るＲＥＣ装置（Radio  Equipment  Control装置）（以下、「中継装置」と称する）の概要を説明する。図１は、本実施例に係る中継装置の概要を説明するための図である。【００２１】
本実施例に係る無線基地局内にある中継装置は、ＣＰＲＩ（Common  Public  Radio  Interface）規格のインタフェースに準拠したＣＰＲＩリンクと呼ばれる、光ファイバによって複数の中継装置と接続することができる。【００２２】
複数の中継装置のうち、無線基地局外の他の通信網と接続している側を上位側とし、上位側の反対側の中継装置のうち、アンテナを有し、アンテナにより電波を送受信することができる中継装置がある側を下位側とする。【００２３】
中継装置と他の中継装置とを接続するＣＰＲＩリンクは、下位側から上位側へ中継情報を送信する上りリンクと、上位側から下位側へ中継情報を送信する下りリンクとを有し、中継装置は、上りリンクおよび下りリンクが確立しているか否かを、それぞれ監視する。【００２４】
なお、ＣＰＲＩリンクを介して中継する中継情報は、リンク断しているか否かの状態をＣＰＲＩ規格で決められた形式により設定する制御データとアンテナにより電波を送受信した通信データとを含んでいる。【００２５】
図１の（１）に示すように、上記した中継装置の上位側には他の中継装置を接続し、また、下位側には別の中継装置を接続するような装置構成について説明する。【００２６】
この場合、下位側に接続するＣＰＲＩリンクの上りリンクで、なんらかの異常が発生し、中継情報が送信されない状況になる（以下、「リンク断した」と称する）と、中継装置は、下位側の上りリンクがリンク断した事を検知する。【００２７】
ここで、中継装置では、上位側の上りリンクを強制的にリンク断する（以下、「強制リンク断」と称する）。これにより、中継装置は、上位側に異常な中継情報を送信することなく、中継装置間のデータ中継をすることができる。【００２８】
また、上位側の他の中継装置の上位側に、さらにもう１台他の中継装置を接続した場合であっても、上記した処理を行うことにより、上位側の上りリンクを強制リンク断することができる。【００２９】
また、図１の（２）に示すように、中継装置の上位側に、他の中継装置が接続する装置構成とした場合、上位側に接続するＣＰＲＩリンクの下りリンクで、リンク断した場合に、中継装置は、上位側の下りリンクがリンク断した事を検知する。【００３０】
ここで、中継装置では、他の中継装置へ、通信データと制御データとを有する中継情報のうち、通信データの送信を止め（以下、「停波」と称する）、リンク断した旨を通知する制御データ（以下、「リンク断情報」と称する）のみを送信する。【００３１】
この場合、停波およびリンク断情報送信を行うことで、上位側の他の中継装置に異常な通信データを送信することなく、リンク断した旨を通知することができ、中継装置間のデータの中継処理を継続することができる。【００３２】
本実施例に係る中継装置では、接続するＣＰＲＩリンク毎に監視し、上りリンクがリンク断したか、または、下りリンクがリンク断したかによって、各ＣＰＲＩリンクに対して強制リンク断や停波といった制御を行うことで、リンクが確立しているＣＰＲＩリンクにより、他の中継装置に異常な通信データを送受信することなく、中継情報の中継処理を継続することができる。【００３３】
［中継装置の構成］
つぎに、図２を用いて、本実施例における中継装置の構成を説明する。図２は、本実施例における中継装置の構成を示すブロック図である。【００３４】
図２に示すように、本実施例における中継装置１は、上位側のＣＰＲＩリンクに接続する上位側終端部１０と、下位側のＣＰＲＩリンクに接続する下位側終端部２０と、上位側終端部１０と下位側終端部２０との間を中継する多重分離部３０とを有している。【００３５】
ここで、中継装置１は、上位側に他の中継装置と複数接続する場合、ＣＰＲＩリンクおよび上位側終端部１０を、接続する他の中継装置の数だけ有するものとする。この場合、複数の上位側終端部１０は、ひとつの多重分離部３０と接続される。【００３６】
また、中継装置１は、下位側に他の中継装置と複数接続する場合、ＣＰＲＩリンクおよび下位側終端部２０を、接続する他の中継装置の数だけ有するものとする。この場合、複数の下位側終端部２０は、ひとつの多重分離部３０と接続される。【００３７】
上位側終端部１０は、ＣＰＲＩリンクにより上位側へ中継情報を送受信する上位側送受信部１１と、中継情報に基づき上位側のリンク断を検知する上位側リンク断検知部１２と、取得した条件によって処理を振り分ける上位側振分部１３とを有している。【００３８】
また、上位側終端部１０は、強制リンク断する強制リンク断処理部１４と、ＣＰＲＩリンクに対し停波をする上位側停波処理部１５と、上位側のリンク断情報の処理をする上位側リンク断情報処理部１６と、上位側のリンクの状態を保持する上位側状態メモリ１７とを有している。【００３９】
上位側送受信部１１は、上位側の上りリンクにより、中継装置１から上位側の他の中継装置へ中継情報を送信し、また、上位側の他の中継装置から中継装置１への中継情報を受信する処理を行う処理部である。【００４０】
また、上位側送受信部１１は、多重分離部３０を介して、上位側終端部１０から下位側終端部２０へ中継情報を送信し、また、下位側終端部２０から上位側終端部１０への中継情報を受信する処理を併せて行う。【００４１】
上位側リンク断検知部１２は、上位側の下りリンクのリンク断を検知する処理を行う処理部である。たとえば、上位側リンク断検知部１２は、上位側の他の中継装置から送信されるはずの中継情報が一定時間以上送信されない場合に、リンク断したと認識する。【００４２】
なお、上位側リンク断検知部１２は、上位側の下りリンクのリンク復旧を検知する処理を行う処理部である。たとえば、上位側リンク断検知部１２は、リンク断とみなされたリンクを介して正常な中継情報を受信した場合に、リンクが復旧したと認識する。【００４３】
上位側振分部１３は、リンク断の検知、リンク断情報および上位側状態メモリ１７の情報に基づき、リンク断したＣＰＲＩリンクに応じて対応するＣＰＲＩリンクを判断して、判断したＣＰＲＩリンク毎に処理の振り分けを行う処理部である。【００４４】
たとえば、上位側振分部１３は、多重分離部３０から下位側のリンク断情報を受信した場合、上位側の上りリンクに対して停波する処理または上位側の他の中継装置へリンク断情報を送信する処理へ振り分ける。【００４５】
なお、上位側振分部１３は、リンク復旧の検知、強制リンク断を解除する旨を通知するリンク断解除情報および上位側状態メモリ１７の情報に基づき、リンク復旧したＣＰＲＩリンクに応じて対応するＣＰＲＩリンクを判断して、判断したＣＰＲＩリンク毎に復旧処理の振り分けを併せて行う。【００４６】
強制リンク断処理部１４は、上位側振分部１３で判断したＣＰＲＩリンクに対して、中継情報の送信を強制的に止めることにより、強制リンク断する処理を行う処理部である。【００４７】
なお、強制リンク断処理部１４は、強制リンク断したＣＰＲＩリンクに対して、送信を止めていた中継情報を送信することにより、強制リンク断を解除（以下、「リンク断解除」と称する）する処理を併せて行う。【００４８】
上位側停波処理部１５は、上位側振分部１３で判断したＣＰＲＩリンクに対して、通信データと制御データとを有する中継情報のうち、通信データの送信を止め、リンク断した旨を通知する制御データのみを送信することで、停波する処理を行う処理部である。【００４９】
なお、上位側停波処理部１５は、停波したＣＰＲＩリンクに対して、送信を止めていた通信データについても送信を行うことにより、停波を解除する処理を併せて行う。【００５０】
上位側リンク断情報処理部１６は、上位側振分部１３で判断したＣＰＲＩリンクに対して、通信データと制御データとを有する中継情報のうち制御データに、リンク断情報および停波しているか否かを設定し、送信する処理を行う処理部である。【００５１】
上位側状態メモリ１７は、たとえば、上位側リンク断検知部１２が、上位側に接続するＣＰＲＩリンクの上りリンクおよび下りリンクがリンク断しているか否かの状態を、それぞれ保持する。【００５２】
下位側終端部２０は、ＣＰＲＩリンクにより下位側へ中継情報を送受信する下位側送受信部２１と、中継情報に基づき下位側のリンク断を検知する下位側リンク断検知部２２と、取得した条件によって処理を振り分ける下位側振分部２３とを有している。【００５３】
また、下位側終端部２０は、ＣＰＲＩリンクに対し停波をする下位側停波処理部２４と、下位側のリンク断情報の処理をする下位側リンク断情報処理部２５と、下位側のリンクの状態を保持する下位側状態メモリ２６とを有している。【００５４】
下位側送受信部２１は、下位側の上りリンクにより、中継装置１から下位側の他の中継装置へ中継情報を送信し、また、下位側の他の中継装置から中継装置１への中継情報を受信する処理を行う処理部である。【００５５】
また、下位側送受信部２１は、多重分離部３０を介して、下位側終端部２０から上位側終端部１０へ中継情報を送信し、また、上位側終端部１０から下位側終端部２０への中継情報を受信する処理を併せて行う。【００５６】
下位側リンク断検知部２２は、下位側の上りリンクのリンク断を検知する処理を行う処理部である。たとえば、下位側リンク断検知部２２は、下位側の他の中継装置から送信されるはずの中継情報が一定時間以上送信されない場合に、リンク断したと認識する。【００５７】
なお、下位側リンク断検知部２２は、下位側の上りリンクのリンク復旧を検知する処理を併せて行う。たとえば、下位側リンク断検知部２２は、リンク断とみなされたリンクを介して正常な中継情報を受信した場合に、リンクが復旧したと認識する。【００５８】
下位側振分部２３は、リンク断の検知、リンク断情報および下位側状態メモリ２６の情報に基づき、リンク断したＣＰＲＩリンクに応じて対応するＣＰＲＩリンクを判断して、判断したＣＰＲＩリンク毎に処理の振り分けを行う処理部である。【００５９】
たとえば、下位側振分部２３は、多重分離部３０から上位側のリンク断情報を受信した場合、下位側の上りリンクに対して停波する処理または下位側の他の中継装置へリンク断情報を送信する処理へ振り分ける。【００６０】
なお、下位側振分部２３は、リンク復旧の検知、リンク断解除情報および下位側状態メモリ２６の情報に基づき、リンク復旧したＣＰＲＩリンクに応じて対応するＣＰＲＩリンクを判断して、判断したＣＰＲＩリンク毎に復旧処理の振り分けを併せて行う。【００６１】
下位側停波処理部２４は、下位側振分部２３で判断したＣＰＲＩリンクに対して、通信データと制御データとを有する中継情報のうち、通信データの送信を止め、リンク断した旨を通知する制御データのみを送信することで、停波する処理を行う処理部である。【００６２】
なお、下位側停波処理部２４は、停波したＣＰＲＩリンクに対して、送信を止めていた通信データについても送信を行うことにより、停波を解除する処理を併せて行う。【００６３】
下位側リンク断情報処理部２５は、下位側振分部２３で判断したＣＰＲＩリンクに対して、通信データと制御データとを有する中継情報のうち制御データに、リンク断情報および停波しているか否かを設定し、送信する処理を行う処理部である。【００６４】
下位側状態メモリ２６は、たとえば、下位側リンク断検知部２２が、下位側に接続するＣＰＲＩリンクの上りリンクおよび下りリンクがリンク断しているか否かの状態を、それぞれ保持する。【００６５】
多重分離部３０は、複数の上位側終端部１０側から送られた、正常な中継情報、リンク断情報および停波の情報を、上位側終端部１０が指定した下位側終端部２０へ多重送信する処理を行う処理部である。【００６６】
また、多重分離部３０は、下位側終端部２０から送られた、正常な中継情報、リンク断情報および停波の情報を、上位側に有する複数の上位側終端部１０側へ分離して送信する処理を併せて行う。【００６７】
［無線基地局内の装置構成］
つぎに、図３を用いて、本実施例における無線基地局内の装置構成を説明する。図３は、本実施例における無線基地局内の装置構成を説明するための図であり、本実施例の説明では、すべてこの装置構成とする。【００６８】
図３に示すように、無線基地局１００には、中継装置Ａ１１０の上位側に、中継装置Ｂ１２０および中継装置Ｃ１３０が並列に接続し、下位側に中継装置Ｄ１４０が接続している。この場合、中継装置Ｂ１２０および中継装置Ｃ１３０は、中継装置Ａ１１０を介して中継装置Ｄ１４０を共有している。【００６９】
中継装置Ｂ１２０および中継装置Ｃ１３０は、上位側に無線基地局外の他の通信網と接続している。一方、中継装置Ｄ１４０は、アンテナを有し、アンテナにより電波を送受信することができる。【００７０】
中継装置Ａ１１０と中継装置Ｂ１２０との間にはＣＰＲＩリンクＡ１５０を、中継装置Ａ１１０と中継装置Ｃ１３０との間にはＣＰＲＩリンクＢ１６０を、中継装置Ａ１１０と中継装置Ｄ１４０との間にはＣＰＲＩリンクＣ１７０を有する。【００７１】
ＣＰＲＩリンクＡ１５０は、下りリンクＡ１５１と上りリンクＡ１５２とを有し、ＣＰＲＩリンクＡ１５０の上位側と、中継装置Ｂ１２０の下位側終端部Ａ１２１とが接続されていて、ＣＰＲＩリンクＡ１５０の下位側と、中継装置Ａ１１０の上位側終端部Ａ１１１とが接続されている。【００７２】
ＣＰＲＩリンクＢ１６０は、下りリンクＢ１６１と上りリンクＢ１６２とを有し、ＣＰＲＩリンクＢ１６０の上位側と、中継装置Ｃ１３０の下位側終端部Ｂ１３１とが接続されていて、ＣＰＲＩリンクＢ１６０の下位側と、中継装置Ａ１１０の上位側終端部Ｂ１１２とが接続されている。【００７３】
ＣＰＲＩリンクＣ１７０は、下りリンクＣ１７１と上りリンクＣ１７２とを有し、ＣＰＲＩリンクＣ１７０の上位側と、中継装置Ａ１１０の下位側終端部Ｃ１１３とが接続されていて、ＣＰＲＩリンクＣ１７０の下位側と、中継装置Ｄ１４０の上位側終端部Ｃ１４１とが接続されている。【００７４】
つぎに、図４〜７を用いて、本実施例における中継装置の監視方法および制御方法を４つの場合に分けて説明する。図４〜７は、中継装置の監視方法および制御方法を説明するための図その１〜その４である。【００７５】
まず、図４に示すように、下位側の上りリンクＣ１７２がリンク断した場合を説明する。下位側終端部Ｃ１１３では、中継装置Ｄ１４０から送信されるはずの中継情報が一定時間以上送信されないことに基づき、上りリンクＣ１７２がリンク断した事を検知する。【００７６】
そして、下位側終端部Ｃ１１３では、リンク断情報を上位側終端部Ａ１１１および上位側終端部Ｂ１１２に送信する。その後、受信したリンク断情報に基づき、上位側終端部Ａ１１１は、上りリンクＡ１５２を強制リンク断し、上位側終端部Ｂ１１２は、上りリンクＢ１６２を強制リンク断する。【００７７】
さらに、下位側終端部Ａ１２１および下位側終端部Ｂ１３１では、上りリンクＡ１５２および上りリンクＢ１６２がリンク断した事を検知する。そして、下位側終端部Ａ１２１および下位側終端部Ｂ１３１は、上位側終端部Ａ１１１および上位側終端部Ｂ１１２へリンク断情報を送信する。【００７８】
上記した方法で制御を行うことにより、中継装置Ｂ１２０または中継装置Ｃ１３０の上位側に、図示しない他の中継装置が接続していた場合であっても、中継装置Ｂ１２０または中継装置Ｃ１３０は、上りリンクを強制リンク断することができる。【００７９】
また、中継装置Ａ１１０は、上りリンクＣ１７２がリンク断した事により、たとえば、上りリンクＣ１７２を介して送信された中継情報がデータの途中で切れている、すなわち、異常な場合であっても、上位側の他の中継装置に異常な中継情報を送信することがない。【００８０】
つぎに、図５に示すように、下位側の下りリンクＣ１７１がリンク断した場合を説明する。上位側終端部Ｃ１４１では、中継装置Ａ１１０から送信されるはずの中継情報が一定時間以上送信されないことに基づき、下りリンクＣ１７１がリンク断した事を検知する。【００８１】
そして、上位側終端部Ｃ１４１では、上りリンクＣ１７２に対し停波し、リンク断情報を下位側終端部Ｃ１１３に送信する。その後、下位側終端部Ｃ１１３では、受信したリンク断情報に基づき、リンク断情報を上位側終端部Ａ１１１および上位側終端部Ｂ１１２に送信する。【００８２】
さらに、上位側終端部Ａ１１１は、上りリンクＡ１５２に対し停波し、リンク断情報を下位側終端部Ａ１２１に送信し、上位側終端部Ｂ１１２は上りリンクＢ１６２に対し停波し、リンク断情報を下位側終端部Ｂ１３１に送信する。【００８３】
上記した方法で制御を行うことにより、中継装置Ｂ１２０または中継装置Ｃ１３０の上位側に、図示しない他の中継装置が接続していた場合であっても、中継装置Ｂ１２０または中継装置Ｃ１３０は、上りリンクに対し停波することができる。【００８４】
また、中継装置Ａ１１０は、下りリンクＣ１７１がリンク断した事により、下りリンクＣ１７１を介して送信された中継情報が異常な場合であっても、上位側の他の中継装置に異常な通信データを送信することなく、制御データであるリンク断情報を送信することができる。【００８５】
つぎに、図６に示すように、上位側の下りリンクＡ１５１がリンク断した場合を説明する。上位側終端部Ａ１１１では、中継装置Ｂ１２０から送信されるはずの中継情報が一定時間以上送信されないことに基づき、下りリンクＡ１５１がリンク断した事を検知する。【００８６】
そして、上位側終端部Ａ１１１では、上りリンクＡ１５２に対し停波し、リンク断情報を下位側終端部Ａ１２１に送信する。さらに、上位側終端部Ａ１１１は、下りリンクＣ１７１に対して上位側終端部Ａ１１１からの中継情報についてのみ停波する。【００８７】
上記した方法で制御を行うことにより、中継装置Ｄ１４０を共有する、中継装置Ｂ１２０および中継装置Ｃ１３０のうち、片方の下りリンクＡ１５１がリンク断した場合でも、ＣＰＲＩリンクＢ１６０およびＣＰＲＩリンクＣ１７０のリンクは確立した状態を保持する。【００８８】
また、中継装置Ａ１１０は、下りリンクＡ１５１がリンク断した事により、下りリンクＡ１５１を介して送信された中継情報が異常な場合であっても、下位側の他の中継装置に異常な通信データを送信することなく、中継装置Ｄ１４０と中継装置Ｂ１２０との間で、中継情報の中継処理を継続することができる。【００８９】
つぎに、図７に示すように、上位側の上りリンクＡ１５２がリンク断した場合を説明する。下位側終端部Ａ１２１では、中継装置Ａ１１０から送信されるはずの中継情報が一定時間以上送信されないことに基づき、上りリンクＡ１５２がリンク断した事を検知する。【００９０】
そして、下位側終端部Ａ１２１では、リンク断情報を上位側終端部Ａ１１１に送信する。その後、上位側終端部Ａ１１１は、下りリンクＣ１７１に対して上位側終端部Ａ１１１からの中継情報についてのみ停波する。【００９１】
上記した方法で制御を行うことにより、中継装置Ｄ１４０を共有する、中継装置Ｂ１２０および中継装置Ｃ１３０のうち、片方の上りリンクＡ１５２がリンク断した場合でも、ＣＰＲＩリンクＢ１６０およびＣＰＲＩリンクＣ１７０のリンクは確立した状態を保持する。【００９２】
また、中継装置Ａ１１０は、上りリンクＡ１５２がリンク断した事により、上りリンクＡ１５２を介して送信された中継情報が異常な場合であっても、下位側の他の中継装置に異常な通信データを送信することなく、中継装置Ｄ１４０と中継装置Ｂ１２０との間で、中継情報の中継処理を継続することができる。【００９３】
［中継装置による処理手順］
続いて、図８〜１５を用いて、本実施例における中継装置によるリンク断検知時および復旧時の処理手順を４つの場合に分けて説明する。【００９４】
図８、９は、図４に対応するシーケンス図である。図８は、本実施例における中継装置によるリンク断検知時の処理手順を示すシーケンス図その１であり、図９は、本実施例における中継装置による復旧時の処理手順を示すシーケンス図その１である。【００９５】
まず、図８に示すように、上りリンクＣ１７２でリンク断した場合を説明する。まず、すべてのリンクが正常な状態の時には、下位側終端部Ａ１２１は、下位側上りおよび下りの状態を正常に設定し（ステップＳ１０１）、下位側終端部Ｂ１３１は、下位側上りおよび下りの状態を正常に設定する（ステップＳ１０２）。【００９６】
さらに、上位側終端部Ａ１１１は、上位側上りおよび下りの状態を正常に設定し（ステップＳ１０３）、上位側終端部Ｂ１１２は、上位側上りおよび下りの状態を正常に設定する（ステップＳ１０４）。【００９７】
また、下位側終端部Ｃ１１３は、下位側上りおよび下りの状態を正常に設定し（ステップＳ１０５）、上位側終端部Ｃ１４１は、上位側上りおよび下りの状態を正常に設定する（ステップＳ１０６）。【００９８】
この時、上りリンクＣ１７２でリンク断した場合に、下位側終端部Ｃ１１３は、上りリンクＣ１７２のリンク断を検知し（ステップＳ１０７）、下位側上りの状態を異常に変更する（ステップＳ１０８）。【００９９】
その後、下位側終端部Ｃ１１３は、上位側終端部Ｃ１４１、上位側終端部Ａ１１１および上位側終端部Ｂ１１２へリンク断情報を送信する（ステップＳ１０９）。上位側終端部Ｃ１４１は、受信したリンク断情報に基づき、上位側上りの状態を異常に変更する（ステップＳ１１０）。【０１００】
一方、上位側終端部Ａ１１１は、下位側終端部Ｃ１１３から受信したリンク断情報に基づき、上位側上りの状態を異常に変更し（ステップＳ１１１）、上りリンクＡ１５２を強制リンク断する（ステップＳ１１２）。【０１０１】
そして、下位側終端部Ａ１２１は、上りリンクＡ１５２のリンク断を検知し（ステップＳ１１３）、下位側上りの状態を異常に変更する（ステップＳ１１４）。【０１０２】
また、上位側終端部Ｂ１１２は、下位側終端部Ｃ１１３から受信したリンク断情報に基づき、上位側上りの状態を異常に変更し（ステップＳ１１５）、上りリンクＢ１６２を強制リンク断する（ステップＳ１１６）。【０１０３】
そして、下位側終端部Ｂ１３１は、上りリンクＢ１６２のリンク断を検知し（ステップＳ１１７）、下位側上りの状態を異常に変更する（ステップＳ１１８）。この状態で、中継装置Ａ１１０、中継装置Ｂ１２０、中継装置Ｃ１３０および中継装置Ｄ１４０は、上りリンクＣ１７２の復旧を待つ。【０１０４】
つぎに、図９に示すように、上りリンクＣ１７２が復旧した場合を説明する。まず、上りリンクＣ１７２でリンク断した場合、上記した処理により、下位側終端部Ａ１２１では、下位側上りの状態が異常に設定され（ステップＳ２０１）、下位側終端部Ｂ１３１では、下位側上りの状態が異常に設定されている（ステップＳ２０２）。【０１０５】
さらに、上位側終端部Ａ１１１では、上位側上りの状態が異常に設定され（ステップＳ２０３）、上位側終端部Ｂ１１２では、上位側上りの状態が異常に設定されている（ステップＳ２０４）。【０１０６】
また、下位側終端部Ｃ１１３では、下位側上りの状態が異常に設定され（ステップＳ２０５）、上位側終端部Ｃ１４１では、上位側上りの状態が異常に設定されている（ステップＳ２０６）。【０１０７】
ここで、上りリンクＣ１７２が復旧した場合に、上位側終端部Ｃ１４１は、上位側上りの状態を正常に戻し（ステップＳ２０７）、下位側終端部Ｃ１１３へ正常な中継情報を送信する（ステップＳ２０８）。【０１０８】
その後、下位側終端部Ｃ１１３は、受信した正常な中継情報に基づき、上りリンクＣ１７２の復旧を検知し（ステップＳ２０９）、下位側上りの状態を正常に戻し（ステップＳ２１０）、上位側終端部Ａ１１１および上位側終端部Ｂ１１２へリンク断解除情報を送信する（ステップＳ２１１）。【０１０９】
一方、上位側終端部Ａ１１１は、下位側終端部Ｃ１１３から受信したリンク断解除情報に基づき、下位側終端部Ａ１２１へリンク断解除情報を送信し（ステップＳ２１２）、上位側上りの状態を正常に戻し（ステップＳ２１３）、上りリンクＡ１５２のリンク断を解除する（ステップＳ２１４）。【０１１０】
そして、下位側終端部Ａ１２１は、上位側終端部Ａ１１１から受信したリンク断解除情報に基づき、下位側上りの状態を正常に戻す（ステップＳ２１５）。【０１１１】
また、上位側終端部Ｂ１１２は、下位側終端部Ｃ１１３から受信したリンク断解除情報に基づき、下位側終端部Ｂ１３１へリンク断解除情報を送信し（ステップＳ２１６）、上位側上りの状態を正常に戻し（ステップＳ２１７）、上りリンクＢ１６２のリンク断を解除する（ステップＳ２１８）。【０１１２】
そして、下位側終端部Ｂ１３１は、上位側終端部Ｂ１１２から受信したリンク断解除情報に基づき、下位側上りの状態を正常に戻す（ステップＳ２１９）。【０１１３】
つぎに、図１０，１１は、図５に対応するシーケンス図である。図１０は、本実施例における中継装置によるリンク断検知時の処理手順を示すシーケンス図その２であり、図１１は、本実施例における中継装置による復旧時の処理手順を示すシーケンス図その２である。【０１１４】
まず、図１０に示すように、下りリンクＣ１７１でリンク断した場合を説明する。まず、すべてのリンクが正常な状態の時には、下位側終端部Ａ１２１は、下位側上りおよび下りの状態を正常に設定し（ステップＳ３０１）、下位側終端部Ｂ１３１は、下位側上りおよび下りの状態を正常に設定する（ステップＳ３０２）。【０１１５】
さらに、上位側終端部Ａ１１１は、上位側上りおよび下りの状態を正常に設定し（ステップＳ３０３）、上位側終端部Ｂ１１２は、上位側上りおよび下りの状態を正常に設定する（ステップＳ３０４）。【０１１６】
また、下位側終端部Ｃ１１３は、下位側上りおよび下りの状態を正常に設定し（ステップＳ３０５）、上位側終端部Ｃ１４１は、上位側上りおよび下りの状態を正常に設定する（ステップＳ３０６）。【０１１７】
この時、下りリンクＣ１７１でリンク断した場合に、上位側終端部Ｃ１４１は、下りリンクＣ１７１のリンク断を検知し（ステップＳ３０７）、上位側下りの状態を異常に変更する（ステップＳ３０８）。【０１１８】
その後、上位側終端部Ｃ１４１は、上りリンクＣ１７２に対し停波し（ステップＳ３０９）、下位側終端部Ｃ１１３へリンク断情報を送信し（ステップＳ３１０）、上位側上りの状態を異常に変更する（ステップＳ３１１）。【０１１９】
一方、下位側終端部Ｃ１１３は、上位側終端部Ｃ１４１から受信したリンク断情報に基づき、上位側終端部Ａ１１１および上位側終端部Ｂ１１２へリンク断情報を送信し（ステップＳ３１２）、下位側上りの状態を異常に変更し（ステップＳ３１３）、下位側下りの状態も異常に変更する（ステップＳ３１４）。【０１２０】
一方、上位側終端部Ａ１１１は、下位側終端部Ｃ１１３から受信したリンク断情報に基づき、上りリンクＡ１５２に対し停波し（ステップＳ３１５）、下位側終端部Ａ１２１へリンク断情報を送信し（ステップＳ３１６）、上位側上りの状態を異常に変更する（ステップＳ３１７）。【０１２１】
そして、下位側終端部Ａ１２１は、上位側終端部Ａ１１１から受信したリンク断情報に基づき、下位側上りの状態を異常に変更する（ステップＳ３１８）。【０１２２】
また、上位側終端部Ｂ１１２は、下位側終端部Ｃ１１３から受信したリンク断情報に基づき、上りリンクＢ１６２に対し停波し（ステップＳ３１９）、下位側終端部Ｂ１３１へリンク断情報を送信し（ステップＳ３２０）、上位側上りの状態を異常に変更する（ステップＳ３２１）。【０１２３】
そして、下位側終端部Ｂ１３１は、上位側終端部Ｂ１１２から受信したリンク断情報に基づき、下位側上りの状態を異常に変更する（ステップＳ３２２）。この状態で、中継装置Ａ１１０、中継装置Ｂ１２０、中継装置Ｃ１３０および中継装置Ｄ１４０は、下りリンクＣ１７１の復旧を待つ。【０１２４】
つぎに、図１１に示すように、下りリンクＣ１７１が復旧した場合を説明する。まず、下りリンクＣ１７１でリンク断した場合、上記した処理により、下位側終端部Ａ１２１では、下位側上りの状態が異常に設定され（ステップＳ４０１）、下位側終端部Ｂ１３１では、下位側上りの状態が異常に設定されている（ステップＳ４０２）。【０１２５】
さらに、上位側終端部Ａ１１１では、上位側上りの状態が異常に設定され（ステップＳ４０３）、上位側終端部Ｂ１１２では、上位側上りの状態が異常に設定されている（ステップＳ４０４）。【０１２６】
また、下位側終端部Ｃ１１３では、下位側上りおよび下りの状態が異常に設定され（ステップＳ４０５）、上位側終端部Ｃ１４１では、上位側上りおよび下りの状態が異常に設定されている（ステップＳ４０６）。【０１２７】
ここで、下りリンクＣ１７１が復旧した場合に、下位側終端部Ｃ１１３は、下位側下りの状態を正常に戻し（ステップＳ４０７）、上位側終端部Ｃ１４１へ正常な中継情報を送信する（ステップＳ４０８）。【０１２８】
その後、上位側終端部Ｃ１４１は、受信した正常な中継情報に基づき、下りリンクＣ１７１の復旧を検知し（ステップＳ４０９）、上位側下りの状態を正常に戻し（ステップＳ４１０）、下位側終端部Ｃ１１３へリンク断解除情報を送信する（ステップＳ４１１）。【０１２９】
そして、上位側終端部Ｃ１４１は、上位側上りの状態を正常に戻し（ステップＳ４１２）、上りリンクＣ１７２に対し停波を解除する（ステップＳ４１３）。【０１３０】
一方、下位側終端部Ｃ１１３は、上位側終端部Ｃ１４１から受信したリンク断解除情報に基づき、上位側終端部Ａ１１１および上位側終端部Ｂ１１２へリンク断解除情報を送信し（ステップＳ４１４）、下位側上りの状態を正常に戻す（ステップＳ４１５）。【０１３１】
一方、上位側終端部Ａ１１１は、下位側終端部Ｃ１１３から受信したリンク断解除情報に基づき、下位側終端部Ａ１２１へリンク断解除情報を送信し（ステップＳ４１６）、上位側上りの状態を正常に戻し（ステップＳ４１７）、上りリンクＡ１５２に対し停波を解除する（ステップＳ４１８）。【０１３２】
そして、下位側終端部Ａ１２１は、上位側終端部Ａ１１１から受信したリンク断解除情報に基づき、下位側上りの状態を正常に戻す（ステップＳ４１９）。【０１３３】
また、上位側終端部Ｂ１１２は、下位側終端部Ｃ１１３から受信したリンク断解除情報に基づき、下位側終端部Ｂ１３１へリンク断解除情報を送信し（ステップＳ４２０）、上位側上りの状態を正常に戻し（ステップＳ４２１）、上りリンクＢ１６２に対し停波を解除する（ステップＳ４２２）。【０１３４】
そして、下位側終端部Ｂ１３１は、上位側終端部Ｂ１１２から受信したリンク断解除情報に基づき、下位側上りの状態を正常に戻す（ステップＳ４２３）。【０１３５】
つぎに、図１２，１３は、図６に対応するシーケンス図である。図１２は、本実施例における中継装置によるリンク断検知時の処理手順を示すシーケンス図その３であり、図１３は、本実施例における中継装置による復旧時の処理手順を示すシーケンス図その３である。【０１３６】
まず、図１２に示すように、下りリンクＡ１５１でリンク断した場合を説明する。まず、すべてのリンクが正常な状態の時には、下位側終端部Ａ１２１は、下位側上りおよび下りの状態を正常に設定し（ステップＳ５０１）、下位側終端部Ｂ１３１は、下位側上りおよび下りの状態を正常に設定する（ステップＳ５０２）。【０１３７】
さらに、上位側終端部Ａ１１１は、上位側上りおよび下りの状態を正常に設定し（ステップＳ５０３）、上位側終端部Ｂ１１２は、上位側上りおよび下りの状態を正常に設定する（ステップＳ５０４）。【０１３８】
また、下位側終端部Ｃ１１３は、下位側上りおよび下りの状態を正常に設定し（ステップＳ５０５）、上位側終端部Ｃ１４１は、上位側上りおよび下りの状態を正常に設定する（ステップＳ５０６）。【０１３９】
この時、下りリンクＡ１５１でリンク断した場合に、上位側終端部Ａ１１１は、下りリンクＡ１５１のリンク断を検知し（ステップＳ５０７）、上位側下りの状態を異常に変更する（ステップＳ５０８）。【０１４０】
その後、上位側終端部Ａ１１１は、下りリンクＣ１７１に対し停波し（ステップＳ５０９）、上りリンクＡ１５２に対しても停波し（ステップＳ５１０）、下位側終端部Ａ１２１へリンク断情報を送信し（ステップＳ５１１）、上位側上りの状態を異常に変更する（ステップＳ５１２）。【０１４１】
一方、下位側終端部Ａ１２１は、上位側終端部Ａ１１１から受信したリンク断情報に基づき、下位側上りの状態を異常に変更し（ステップＳ５１３）、下位側下りの状態も異常に変更する（ステップＳ５１４）。この状態で、中継装置Ａ１１０、中継装置Ｂ１２０、中継装置Ｃ１３０および中継装置Ｄ１４０は、下りリンクＡ１５１の復旧を待つ。【０１４２】
つぎに、図１３に示すように、下りリンクＡ１５１が復旧した場合を説明する。まず、下りリンクＡ１５１でリンク断した場合、上記した処理により、下位側終端部Ａ１２１では、下位側上りおよび下りの状態が異常に設定され（ステップＳ６０１）、上位側終端部Ａ１１１では、上位側上りおよび下りの状態が異常に設定されている（ステップＳ６０２）。【０１４３】
ここで、下りリンクＡ１５１が復旧した場合に、下位側終端部Ａ１２１は、下位側下りの状態を正常に戻し（ステップＳ６０３）、上位側終端部Ａ１１１へ正常な中継情報を送信する（ステップＳ６０４）。【０１４４】
その後、上位側終端部Ａ１１１は、受信した正常な中継情報に基づき、下りリンクＡ１５１の復旧を検知し（ステップＳ６０５）、上位側下りの状態を正常に戻し（ステップＳ６０６）、下位側終端部Ａ１２１へリンク断解除情報を送信する（ステップＳ６０７）。【０１４５】
そして、上位側終端部Ａ１１１は、上位側上りの状態を正常に戻し（ステップＳ６０８）、上りリンクＡ１５２に対し停波を解除し（ステップＳ６０９）、下りリンクＣ１７１に対しても停波を解除する（ステップＳ６１０）。【０１４６】
一方、下位側終端部Ａ１２１は、上位側終端部Ａ１１１から受信したリンク断解除情報に基づき、下位側上りの状態を正常に戻す（ステップＳ６１１）。【０１４７】
つぎに、図１４，１５は、図７に対応するシーケンス図である。図１４は、本実施例における中継装置によるリンク断検知時の処理手順を示すシーケンス図その４であり、図１５は、本実施例における中継装置による復旧時の処理手順を示すシーケンス図その４である。【０１４８】
まず、図１４に示すように、上りリンクＡ１５２でリンク断した場合を説明する。まず、すべてのリンクが正常な状態の時には、下位側終端部Ａ１２１は、下位側上りおよび下りの状態を正常に設定し（ステップＳ７０１）、下位側終端部Ｂ１３１は、下位側上りおよび下りの状態を正常に設定する（ステップＳ７０２）。【０１４９】
さらに、上位側終端部Ａ１１１は、上位側上りおよび下りの状態を正常に設定し（ステップＳ７０３）、上位側終端部Ｂ１１２は、上位側上りおよび下りの状態を正常に設定する（ステップＳ７０４）。【０１５０】
また、下位側終端部Ｃ１１３は、下位側上りおよび下りの状態を正常に設定し（ステップＳ７０５）、上位側終端部Ｃ１４１は、上位側上りおよび下りの状態を正常に設定する（ステップＳ７０６）。【０１５１】
この時、上りリンクＡ１５２でリンク断した場合に、下位側終端部Ａ１２１は、上りリンクＡ１５２のリンク断を検知し（ステップＳ７０７）、下位側上りの状態を異常に変更し（ステップＳ７０８）、上位側終端部Ａ１１１へリンク断情報を送信する（ステップＳ７０９）。【０１５２】
一方、上位側終端部Ａ１１１は、下位側終端部Ａ１２１から受信したリンク断情報に基づき、上位側上りの状態を異常に変更し（ステップＳ７１０）、下りリンクＣ１７１に対し停波する（ステップＳ７１１）。【０１５３】
この状態で、中継装置Ａ１１０、中継装置Ｂ１２０、中継装置Ｃ１３０および中継装置Ｄ１４０は、上りリンクＡ１５２の復旧を待つ。【０１５４】
つぎに、図１５に示すように、上りリンクＡ１５２が復旧した場合を説明する。まず、上りリンクＡ１５２でリンク断した場合、上記した処理により、下位側終端部Ａ１２１では、下位側上りの状態が異常に設定され（ステップＳ８０１）、上位側終端部Ａ１１１では、上位側上りの状態が異常に設定されている（ステップＳ８０２）。【０１５５】
ここで、上りリンクＡ１５２が復旧した場合に、上位側終端部Ａ１１１は、上位側上りの状態を正常に戻し（ステップＳ８０３）、下位側終端部Ａ１２１へ正常な中継情報を送信する（ステップＳ８０４）。【０１５６】
その後、下位側終端部Ａ１２１は、受信した正常な中継情報に基づき、上りリンクＡ１５２の復旧を検知し（ステップＳ８０５）、下位側上りの状態を正常に戻し（ステップＳ８０６）、上位側終端部Ａ１１１へリンク断解除情報を送信する（ステップＳ８０７）。【０１５７】
そして、上位側終端部Ａ１１１は、下りリンクＣ１７１に対し停波を解除する（ステップＳ８０８）。【０１５８】
［実施例の効果］
上記したように、本実施例における中継装置は、複数の中継装置によって共有される下位側の中継装置に対応する上りリンクがリンク断したことを検知した場合、上位側に接続するすべての上りリンクに対して強制リンク断する。【０１５９】
また、本実施例における中継装置は、複数の他の中継装置によって共有される下位側の他の中継装置に対応する下りリンクがリンク断したことを検知した場合、上位側に接続するすべての上りリンクに対して停波する。【０１６０】
このように、本実施例によれば中継装置は、たとえば、下位側のリンクを介して送信された中継情報がデータの途中で切れている、すなわち、異常な場合であっても、上位側の他の中継装置に異常な中継情報を送信するおそれなく、中継処理をすることが可能になる。【０１６１】
また、本実施例における中継装置は、１つの下位側に接続する他の中継装置を共有する上位側の他の中継装置に対応するリンクのうち、１つがリンク断したことを検知した場合、下位側に接続する下りリンクに対して、リンク断したリンクからの中継情報を停波する。【０１６２】
このように、本実施例によれば、中継装置は、下位側に接続するリンクおよび上位側に接続するリンク断をしていないリンクのリンクを確立した状態を維持することにより、下位側の他の中継装置に異常な中継情報を送信するおそれなく、中継情報の中継処理を継続することも可能になる。【０１６３】
なお、本願請求項記載の中継装置は中継装置１、リンク断検知部は上位側リンク断検知部１２および下位側リンク断検知部２２、振分部は上位側振分部１３および下位側振分部２３に相当する。【０１６４】
また、本願請求項記載の強制リンク断部は強制リンク断処理部１４、停波部は上位側停波処理部１５および下位側停波処理部２４に相当する。【０１６５】
なお、上記実施例においては、無線基地局には、中継装置の上位側に、２つの他の中継装置が並列に接続し、下位側に他の中継装置が接続しているような装置構成にしたが、中継装置の上位側および下位側にさらに複数の他の中継装置を並列に接続しても良く、上位側の他の中継装置の上位側に、直列に他の中継装置を接続しても良く、また、下位側の他の中継装置の下位側に、直列に他の中継装置を接続しても良く、この場合、いずれかのリンクがリンク断しても、リンク断をしていないリンクが存在するように冗長化したネットワークを形成することができる。【０１６６】
また、上記実施例においては、無線基地局には、複数の中継装置を接続するような装置構成にしたが、いずれかの中継装置を、ＲＥ装置（Radio  Equipment）と呼ばれる簡易中継装置を接続しても良く、この場合、ＲＥ装置を接続することにより、装置設置のコストおよび装置のコストを削減することができる。【０１６７】
また、上記実施例においては、中継装置では、ＣＰＲＩリンクが確立しているか否かを常に監視し、監視結果に基づき各ＣＰＲＩリンクの切断／回復等の制御を行うようにしたが、ＣＰＲＩリンクではない他のリンクを、中継装置で上記した処理で監視および制御するようにしても良く、この場合、新たにＣＰＲＩリンクを設置する場合であっても、既存の他のリンクによって無線基地局内のネットワークを形成することができ、ＣＰＲＩリンクのコストを削減することができる。
【図１】
2010044142.tif 000003
【図２】
2010044142.tif 000004
【図３】
2010044142.tif 000005
【図４】
2010044142.tif 000006
【図５】
2010044142.tif 000007
【図６】
2010044142.tif 000008
【図７】
2010044142.tif 000009
【図８】
2010044142.tif 000010
【図９】
2010044142.tif 000011
【図１０】
2010044142.tif 000012
【図１１】
2010044142.tif 000013
【図１２】
2010044142.tif 000014
【図１３】
2010044142.tif 000015
【図１４】
2010044142.tif 000016
【図１５】
2010044142.tif 000017
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置であって、
通信データおよび前記ＣＰＲＩリンクの接続状態情報を含む制御データを含んだ中継情報をＣＰＲＩリンク経由で監視することによって接続が切れたＣＰＲＩリンクを検知するリンク断検知部と、
前記リンク断検知部によってリンク断が検知されたＣＰＲＩリンクの接続位置に応じて各ＣＰＲＩリンクに対する制御内容を振り分ける振分部と、
前記検知されたＣＰＲＩリンクを経由する前記中継情報のうち、前記制御データのみを送信する停波部と、
を備える中継装置であって、
前記リンク断検知部が、下りリンク側の中継装置に接続されたＣＰＲＩリンクの下り方向のリンク断を検知した場合に、前記下りリンク側の中継装置を共有する前記複数の中継装置にそれぞれ接続されたＣＰＲＩリンクを前記停波部へ通知し、
前記停波部は、前記通知されたＣＰＲＩリンクに接続された中継装置に前記制御データのみを送信し、
前記リンク断検知部が、上りリンク側の中継装置に接続されたＣＰＲＩリンクの下り方向のリンク断を検知した場合に、リンク断と検知されたＣＰＲＩリンクを第一のＣＰＲＩリンクとして前記停波部へ通知するとともに、下りリンク側の中継装置に接続されたＣＰＲＩリンクを第二のＣＰＲＩリンクとして前記停波部へ通知し、
前記停波部は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲＩリンクに接続された中継装置に前記制御データのみを送信する
ことを特徴とする中継装置。
【請求項２】
前記リンク断検知部が、下りリンク側の中継装置に接続されたＣＰＲＩリンクの上り方向のリンク断を検知した場合に、リンク断と検知されたＣＰＲＩリンクを第一のＣＰＲＩリンクとして前記停波部へ通知するとともに、下りリンク側の中継装置に接続されたＣＰＲＩリンクを第二のＣＰＲＩリンクとして前記停波部へ通知し、
前記停波部は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲＩリンクに接続された中継装置に前記制御データのみを送信し、
前記リンク断検知部が、上りリンク側の中継装置に接続されたＣＰＲＩリンクの上り方向のリンク断を検知した場合に、下りリンク側の中継装置に接続されたＣＰＲＩリンクを前記停波部へ通知し、
前記停波部は、リンク断と検知されたＣＰＲＩリンクに接続された中継装置からの中継情報として、通知されたＣＰＲＩリンクに接続された中継装置に前記制御データのみを送信する
ことを特徴とする請求項１に記載の中継装置。
【請求項３】
無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置に適用される中継方法であって、
通信データおよび前記ＣＰＲＩリンクの接続状態情報を含む制御データを含んだ中継情報をＣＰＲＩリンク経由で監視することによって接続が切れたＣＰＲＩリンクを検知するリンク断検知工程と、
前記リンク断検知工程によってリンク断が検知されたＣＰＲＩリンクの接続位置に応じて各ＣＰＲＩリンクに対する制御内容を振り分ける振分工程と、
前記検知されたＣＰＲＩリンクを経由する前記中継情報のうち、前記制御データのみを送信する停波工程と、
を含んだ中継方法であって、
前記リンク断検知工程が、下りリンク側の中継装置に接続されたＣＰＲＩリンクの下り方向のリンク断を検知した場合に、前記下りリンク側の中継装置を共有する前記複数の中継装置にそれぞれ接続されたＣＰＲＩリンクを前記停波工程へ通知し、
前記停波工程は、前記通知されたＣＰＲＩリンクに接続された中継装置に前記制御データのみを送信し、
前記リンク断検知工程が、上りリンク側の中継装置に接続されたＣＰＲＩリンクの下り方向のリンク断を検知した場合に、リンク断と検知されたＣＰＲＩリンクを第一のＣＰＲＩリンクとして前記停波工程へ通知するとともに、下りリンク側の中継装置に接続されたＣＰＲＩリンクを第二のＣＰＲＩリンクとして前記停波工程へ通知し、
前記停波工程は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲＩリンクに接続された中継装置に前記制御データのみを送信する
ことを特徴とする中継方法。
【請求項４】
前記リンク断検知工程が、下りリンク側の中継装置に接続されたＣＰＲＩリンクの上り方向のリンク断を検知した場合に、リンク断と検知されたＣＰＲＩリンクを第一のＣＰＲＩリンクとして前記停波工程へ通知するとともに、下りリンク側の中継装置に接続されたＣＰＲＩリンクを第二のＣＰＲＩリンクとして前記停波工程へ通知し、
前記停波工程は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲＩリンクに接続された中継装置に前記制御データのみを送信し、
前記リンク断検知工程が、上りリンク側の中継装置に接続されたＣＰＲＩリンクの上り方向のリンク断を検知した場合に、下りリンク側の中継装置に接続されたＣＰＲＩリンクを前記停波工程へ通知し、
前記停波工程は、リンク断と検知されたＣＰＲＩリンクに接続された中継装置からの中継情報として、通知されたＣＰＲＩリンクに接続された中継装置に前記制御データのみを送信する
ことを特徴とする請求項３に記載の中継方法。
【請求項５】
無線基地局に含まれる複数の中継装置間を接続するためのインタフェースであるコモン・パブリック・ラジオ・インタフェース（ＣＰＲＩ）を用いたリンクであるＣＰＲＩリンクの監視および制御を行う中継装置に搭載される中継プログラムであって、
通信データおよび前記ＣＰＲＩリンクの接続状態情報を含む制御データを含んだ中継情報をＣＰＲＩリンク経由で監視することによって接続が切れたＣＰＲＩリンクを検知するリンク断検知手順と、
前記リンク断検知手順によってリンク断が検知されたＣＰＲＩリンクの接続位置に応じて各ＣＰＲＩリンクに対する制御内容を振り分ける振分手順と、
前記検知されたＣＰＲＩリンクを経由する前記中継情報のうち、前記制御データのみを送信する停波手順と、
をコンピュータに実行させる中継プログラムであって、
前記リンク断検知手順が、下りリンク側の中継装置に接続されたＣＰＲＩリンクの下り方向のリンク断を検知した場合に、前記下りリンク側の中継装置を共有する前記複数の中継装置にそれぞれ接続されたＣＰＲＩリンクを前記停波手順へ通知し、
前記停波手順は、前記通知されたＣＰＲＩリンクに接続された中継装置に前記制御データのみを送信し、
前記リンク断検知手順が、上りリンク側の中継装置に接続されたＣＰＲＩリンクの下り方向のリンク断を検知した場合に、リンク断と検知されたＣＰＲＩリンクを第一のＣＰＲＩリンクとして前記停波手順へ通知するとともに、下りリンク側の中継装置に接続されたＣＰＲＩリンクを第二のＣＰＲＩリンクとして前記停波手順へ通知し、
前記停波手順は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲＩリンクに接続された中継装置に前記制御データのみを送信する
ことを特徴とする中継プログラム。
【請求項６】
前記リンク断検知手順が、下りリンク側の中継装置に接続されたＣＰＲＩリンクの上り方向のリンク断を検知した場合に、リンク断と検知されたＣＰＲＩリンクを第一のＣＰＲＩリンクとして前記停波手順へ通知するとともに、下りリンク側の中継装置に接続されたＣＰＲＩリンクを第二のＣＰＲＩリンクとして前記停波手順へ通知し、
前記停波手順は、通知された前記第一のＣＰＲＩリンクに接続された中継装置に前記制御データのみを送信するとともに、前記第一のＣＰＲＩリンクに接続された中継装置からの中継情報として、通知された前記第二のＣＰＲＩリンクに接続された中継装置に前記制御データのみを送信し、
前記リンク断検知手順が、上りリンク側の中継装置に接続されたＣＰＲＩリンクの上り方向のリンク断を検知した場合に、下りリンク側の中継装置に接続されたＣＰＲＩリンクを前記停波手順へ通知し、
前記停波手順は、リンク断と検知されたＣＰＲＩリンクに接続された中継装置からの中継情報として、通知されたＣＰＲＩリンクに接続された中継装置に前記制御データのみを送信する
ことを特徴とする請求項５に記載の中継プログラム。
【国際調査報告】
2010044142.tif 000018
2010044142.tif 000019
2010044142.tif 000020
2010044142.tif 000021